(57)【要約】  本発明は、比較的万能の支持システムと、その構成要素とに関する。本発明の基本原理は、第３者により生産された付属品および／または純正付属品を電動車両、中庭周辺または他の同様の表面に設置して使用可能にすることにある。万能支持システムは、一般に、車両または表面に固定されるように構成された定着ベースと、このベースに取り付け可能な支柱と、支柱に固定されるＬ字型の支持アームとを含んでいる。この発明は、車両または表面の居住空間の外部に展開されるＬ字型の支持アームならびに定着ベースによって、付属品の使用時に空間を最大化することができる。このようにして、付属品は、車両または表面の居住空間を塞いだり占有したりすることがない。【選択図】図１
2010522313.tif 000002
【特許請求の範囲】
【請求項１】
ａ．表面に固定されるように構成された定着部分と、第１の開口部および第１の固定手段を含む支持部分とを含むベースと、
ｂ．前記第１の開口部に挿入可能な支柱と、
ｃ．第１の部分および第２の部分を含む支持アームと、
を含み、前記第１および第２の部分がクランクにより接続され、前記支持アームが、第２の開口部と、前記第１の部分の端部に配置される第２の固定手段とを含み、前記第２の開口部が前記支柱を受容可能である、支持システム。
【請求項２】
前記支持アームがＬ字型である、請求項１に記載の支持システム。
【請求項３】
前記支持アームの前記第１の部分が、前記Ｌ字型の短い方の部分に対応し、前記支持アームの前記第２の部分が、前記Ｌ字型の長い方の部分に対応する、請求項２に記載の支持システム。
【請求項４】
前記支持アームの前記第１の部分が、前記第２の部分よりも短い、請求項１に記載の支持システム。
【請求項５】
前記支持アームの前記第２の長い方の部分が、固定要素を受容するように構成された少なくとも１つの第３の開口部を含む、請求項１に記載の支持システム。
【請求項６】
前記第３の開口部が、細長い開口部である、請求項５に記載の支持システム。
【請求項７】
前記第１の開口部と前記第１の固定手段とが、第１の締め付けリングを画定するように構成されている、請求項１に記載の支持システム。
【請求項８】
前記第２の開口部と前記第２の固定手段とが、第２の締め付けリングを画定するように構成されている、請求項１に記載の支持システム。
【請求項９】
前記支持アームが、第４の開口部と、前記第２の部分の端部に配置される第３の固定手段とを含み、前記第４の開口部が前記支柱を受容可能である、請求項１に記載の支持システム。
【請求項１０】
前記第４の開口部と前記第３の固定手段とが、第３の締め付けリングを画定するように構成されている、請求項９に記載の支持システム。
【請求項１１】
前記支持アームは、前記第２の開口部と前記第４の開口部とが２つの平行な異なる面に配置されるようにするショルダを含んでいる、請求項９に記載の支持システム。
【請求項１２】
前記平行な異なる面の距離が前記アームの厚みの半分にほぼ等しい、請求項１１に記載の支持システム。
【請求項１３】
前記ショルダが、前記第２の開口部と前記クランクとの間に配置される、請求項１１に記載の支持システム。
【請求項１４】
前記第１の開口部がほぼ円形である、請求項１に記載の支持システム。
【請求項１５】
前記第２の開口部がほぼ円形である、請求項１に記載の支持システム。
【請求項１６】
前記第４の開口部がほぼ円形である、請求項９に記載の支持システム。
【請求項１７】
前記支柱がほぼ円筒形である、請求項１４、１５または１６に記載の支持システム。
【請求項１８】
前記支柱における前記支持アームの位置が、高さおよび／または回転調整可能である、請求項１に記載の支持システム。
【請求項１９】
前記ベースが耐食性材料からなる、請求項１に記載の支持システム。
【請求項２０】
前記ベースがアルミニウムまたはステンレス鋼製である、請求項１に記載の支持システム。
【請求項２１】
前記支柱が耐食性材料からなる、請求項１に記載の支持システム。
【請求項２２】
前記支柱がアルミニウムまたはステンレス鋼製である、請求項１に記載の支持システム。
【請求項２３】
前記支持アームが耐食性材料からなる、請求項１に記載の支持システム。
【請求項２４】
前記支持アームがアルミニウムまたはステンレス鋼製である、請求項１に記載の支持システム。
【請求項２５】
前記システムが複数の支持アームを含んでいる、請求項１から２４のいずれか一項に記載の支持システム。
【請求項２６】
前記ベースの定着部分が、前記表面の外部に展開されるように構成されている、請求項１から２５のいずれか一項に記載の支持システム。
【請求項２７】
ａ．表面に固定可能で第１の開口部と第１の固定手段とを含むベースと、
ｂ．前記第１の開口部に挿入可能な支柱と、
ｃ．第１の部分および第２の部分を含む支持アームと、
を含み、前記第１および第２の部分がクランクにより接続され、前記支持アームが、第２の開口部と、前記第１の部分の端部に配置される第２の固定手段とを含み、前記第２の開口部が前記支柱を受容可能である、支持システム。
【請求項２８】
前記支持アームは、前記第１の部分および前記第２の部分が、２つの平行な異なる面に配置されるようにするショルダを含んでいる、請求項２７に記載の支持システム。
【請求項２９】
前記平行な異なる面の距離が前記アームの厚みの半分にほぼ等しい、請求項２８に記載の支持システム。
【請求項３０】
前記ショルダが、前記第２の開口部と前記クランクとの間に配置される、請求項２８に記載の支持システム。
【請求項３１】
前記支持アームがＬ字型である、請求項２７に記載の支持システム。
【請求項３２】
前記支持アームの前記第１の部分が前記Ｌ字型の短い方の部分に対応し、前記支持アームの前記第２の部分が、前記Ｌ字型の長い方の部分に対応する、請求項３１に記載の支持システム。
【請求項３３】
前記支持アームの前記第１の部分が、前記第２の部分よりも短い、請求項２７に記載の支持システム。
【請求項３４】
前記支持アームの前記第２の部分が、固定要素を受容するように構成された少なくとも１つの第３の開口部を含む、請求項２７に記載の支持システム。
【請求項３５】
前記第３の開口部が、細長い開口部である、請求項３４に記載の支持システム。
【請求項３６】
前記支持アームが第４の開口部と、前記第２の部分の端部に配置される第３の固定手段とを含む、請求項２７に記載の支持システム。
【請求項３７】
前記システムが、複数の支持アームを含んでいる、請求項２７から３６のいずれか一項に記載の支持システム。
【発明の詳細な説明】
【技術分野】
【０００１】
［関連出願文献］
本特許出願は、カナダ特許出願第２５８３５２４号「万能支持システム」（カナダ工業所有権局出願日：２００７年３月２８日）の優先権を主張する。
【０００２】
本発明は、主に、地面、表面、および／または車両に取り付け可能な支持および／または締結システムの分野に関する。本発明は、限定的ではないが、特に、電動車両に取り付け可能な付属品用の支持および／または締結システムに関する。
【背景技術】
【０００３】
レジャー航海の分野において、スペースの欠如は、ヨット遊びをする人々の快適性を引き立てる役割をする付属品の使用をしばしば制限する。
【０００４】
レクレーション車両で使用されるように構成されたこれらの付属品で市販のものは、一般に、共通の万能な設置システムを備えておらず、特にレジャー航海の分野ではそれがいえる。通常、これらの付属品の設置は、システムが存在する場合、メーカーから提供されるシステムに依存する。ところで、これらのシステムは、以前にもまして、有効かつ便利な取り付けができないことが多く、一般には既に非常に限られた居住空間の一部を占有する。しかも、付属品の使用後は、レジャー船舶に固有のスペースの欠如から、その収納の問題が常につきまとう。
【０００５】
そのため、ヨット遊びをする人々は、しばしば、日曜大工もどきの「手製」の固定システムの製造を試みるので、付属品の使用は不確実なものになり、危険になることさえある。これは全て、現時点において、船舶で付属品を使用するための特別な要求に応える製品が市販されていないことによる。
【０００６】
さらに、レジャー船舶で利用可能なスペースは限られているので、複数の付属品を同時に使用できないことが多い。その結果、ヨット遊びをする人々は、そのうちの１つを選択しなければならない。
【０００７】
従って、理想的には、電動車両の所有者が、わかりやすく安全に複数の付属品を同時に使えるようにするとともに車両の居住空間を脅かすことなく手の届く範囲に保持できるような、比較的万能な固定システムを備えることである。
【発明の概要】
【発明が解決しようとする課題】
【０００８】
本発明の目的は、車両、または中庭の周辺、または同様の他の表面に設置可能で、各種付属品の設置および使用を可能にする比較的万能の支持締結システムを提供することにある。
【０００９】
本発明の他の目的は、車両の居住空間、中庭、または他の表面にはみだすことなく付属品の設置および使用が可能な、比較的万能の支持締結システムを提供することにある。
【００１０】
本発明の別の目的は、ユニット式であって、設置される付属品の特徴に合わせることが可能な、比較的万能の支持締結システムを提供することにある。
【００１１】
本発明の他の目的および長所は、後述する好適な実施形態の説明により明らかになり、請求項に記載され、あるいは、その使用に際して当業者に明らかにされるであろう。
【課題を解決するための手段】
【００１２】
本発明は、主に、車両の居住空間の外部またはシステムの取付面の外部に付属品が取り付けられる、付属品用支持システムに関する。
【００１３】
本発明の支持システムは、３つの要素、すなわち定着ベースと、支柱と、必要に応じて一般にはＬ字型の１つまたは複数のアームとから構成される。システムのこれらの要素は、好適には、錆びつきや腐食による腐食不能な製品を得るために、アルミニウム、ステンレス鋼、および／または他の特殊合金等の最高級材料から構成される。好適には、定着ベースと支持アームがアルミニウムから製造される一方で、支柱は、好適には、研磨仕上げのステンレス鋼から製造される。しかし、他の材料および合金を使用してもよい。さらに、定着ベースと支持アームは、一般に、仕上げ用のウレタン触媒を主成分とする化合物で塗装される。
【００１４】
ベースは、主に、締結部分と、支柱を受容する部分とを含む。
【００１５】
ベースの締結部分は、一般に、船舶後部の水かき板か、または使用者の動きを損なうことなく付属品を設置可能にする表面の他のあらゆる適切な場所に固定される。ベースは、一般に、ボードを通るボルトおよびナットを用いて固定され、好適には、ボードの下に配置される補強板を備えて、全体に適切な剛性を付与する。しかし、ベースを設置する場所によっては、他の締結システムも使用可能である。
【００１６】
本発明の特徴によれば、支柱を受容する役割を持つベースの部分は、システムが設置される車両または場所の居住空間の外部に展開される。これによって、システムは、一般には限られた居住空間を塞ぐことがない。ベースのこの部分は、一般に、支柱と同様の直径の開口部を有する。さらに、ベースのこの部分は、また、設置されたときに支柱を固定する締め付け装置を備える。
【００１７】
本発明の別の特徴によれば、上記のように、支持システムが、付属品を設置する役割を備えたＬ字型の１つまたは複数のアームを有する。
【発明の効果】
【００１８】
これらの支持アームは、締め付けリングの形状を取るそれらの端部により、支柱に設置される。支持アームは、付属品を支持する役割を果たす。支持アームの形状がＬ字型（またはクランク型）であるので、通路エリア外に付属品を展開することができる。好適には、各アームが、また、中央スリットを備えており、この中央スリットでは、ボルトおよびナットを用いてあらゆるタイプの定着具を使うことができ、また、付属品受け部の役割をするプラットフォームを固定することができる。各アームの両端がそれぞれ、一般には１個の締め付けリングを有するので、端部の一方を用いてアームを固定可能である。さらに、アームの設計により、一方のアームを支柱に設置し、他方のアームを逆にして、いっそう重い付属品または大型の付属品のために２個のアームを同じレベルに配置してもよい。
【００１９】
設置可能な付属品の範囲はほぼ無限である。たとえば、バーベキューセット、発電機、自転車、潜水ボンベ、収納トランク、補助テーブル、保護柵、電子レンジ、非常用船外機等である。
【００２０】
万能支持手段は、あらゆる種類の付属品を固定する多様なニーズに適合し、それによって、スペースを最大化して上記の付属品の使用を一段と簡素化する。
【００２１】
新規性および進歩性があるとみなされる本発明の特徴については、下記の請求項でさらに詳しく記載する。
【００２２】
本発明の長所、目的、および特徴は、図面を用いてなされた以下の詳細な説明を参照すれば、いっそう容易に観察されるであろう。
【図面の簡単な説明】
【００２３】
【図１】ボード用の固定システムを備えた定着ベースを示す側面図である。
【図２】定着ベースの正面図である。
【図３】定着ベースの上面図である。
【図４】補強プレートの上面図である。
【図５】支柱の側面図である。
【図６】支柱の断面図である。
【図７】支持アームの上面図である。
【図８】支持アームの側面図である。
【図８Ａ】支柱に設置された２個の対向アームを示す側面図である。
【図９】アームの前面図である。
【図１０】アームの背面図である。
【図１１】定着ベース、支柱、および２個の支持アームを含む本発明によるアセンブリを示す側面図である。
【図１２】バーベキューセットの代表的な取り付け例を示す側面図である。
【図１２Ａ】図１２のバーベキューセットの取り付けを示す下面図である。
【図１３】２個の潜水酸素ボンベの代表的な取り付け例を示す側面図である。
【図１４】発電機の代表的な取り付け例を示す側面図である。
【図１５】冷蔵庫の代表的な取り付け例を示す側面図である。
【図１６】保護柵の代表的な取り付け例を示す上面図である。
【図１６Ａ】図１６の保護柵の取り付けを示す正面図である。
【図１７】テーブル板およびカップホルダの代表的な取り付け例を示す上面図である。
【図１７Ａ】図１７のテーブル板およびカップホルダの取り付け例を示す側面図である。
【図１７Ｂ】図１７と１７Ａのテーブル板とカップホルダとを詳しく示す上面図と側面図である。
【図１８】締結システムの細部を示す自転車ホルダの代表的な取り付け例を示す側面図である。
【図１８Ａ】図１８の自転車ホルダの取り付けを示す上面図である。
【図１８Ｂ】自転車が設置された自転車ホルダの取り付けを示す側面図である。
【図１９】収納トランクの代表的な取り付け例を示す上面図である。
【図１９Ａ】図１９の収納トランクの取り付けを示す正面図である。
【図２０】補助船外機の代表的な取り付け例を示す側面図である。
【発明を実施するための形態】
【００２４】
以下、新しい万能支持システムについて説明する。本発明は、一つまたは複数の好適な実施形態を取り上げて説明するが、これらの好適な実施形態は発明を分かりやすく説明するために使用されているのであって、発明の範囲を限定するためではないと理解することが重要である。
【００２５】
図１１から分かるように、本発明の支持システム１０は、主に、３つの要素、すなわち定着ベース１００と、中央支柱２００と、１つまたは複数の支持アーム３００とから構成されている。
【００２６】
定着ベース：
最初に図１〜図４および図１１を参照すると、好適な実施形態の一つにおいて、定着ベース１００が、船舶２０の後部で特にコックピット付近の後ろに配置されたオンボードプラットフォーム２３に設置されていることが分かる。
【００２７】
定着ベース１００は、主に、プラットフォーム２３に固定されるように構成された締結部分１２０と、支柱２００を受容する役割を果たす支持部分１４０とを画定している。
【００２８】
定着ベース１００は、その締結部分１２０を介して船舶の同じ構造にほぼ常時固定される。特に、定着ベース１００は、ボルト１３０、ワッシャー１３２、ナット１３４、補強プレート１７０のアセンブリによって、プラットフォーム２３に固定される。より詳しくは図１に示したように、定着ベース１００の締結部分１２０は、専用開口部１２２を介して締結部分１２０を通過するとともに、専用開口部１７２を介してプラットフォーム２３と補強プレート１７０を通過するボルト１３０によって、プラットフォーム２３に取り付けられる。もちろん、開口部１２２と開口部１７２は、設置時に心合せされる。
【００２９】
怪我をしないようにするために、定着ベース１００の開口部１２２は好適には皿穴をあけられて、定着ベース１００の設置時にボルト１３０の頭がベースの表面から飛び出ないようにされている。
【００３０】
前述のように、ベースの支持部分１４０は、支柱２００の設置時にこの支柱を受容して支持する役割を果たす。このため、支持部分１４０は、一般に、締め付けリングとして作動するように構成されている。従って、支持部分１４０は円形開口部１４２を含み、この開口部で支柱２００が摺動することができる。支持部分１４０は、また、締め付け部分１４４を備え、その調整は、開口部１４６とねじ１４８とを介して行われる。限定的ではないが、ねじ１４８は、アレンタイプとすることができる。他のタイプのねじを使用してもよい。
【００３１】
開口部１２２と同様に、開口部１４６もまた皿穴を開けられて、支柱２００を設置したときにねじ１４８の頭が飛び出さないようにされている。同じ考え方から、定着ベース１００の形状は、好適には鋭角を持たないものとし、それによって、船舶上では一般に裸足で散歩する乗員が怪我をしないようにしている。
【００３２】
好適には、定着ベース１００は、アルミニウムまたはステンレス鋼などの腐食に強い耐久性材料で製造される。しかし、適切な特性および／または同様の特性を有する他の材料を使ってもよい。
【００３３】
プラットフォーム２３における定着ベース１００の場所は、ユーザの必要性と車両の一般的な構成とによって決められる。定着ベース１００は、一般に、より多くのスペースを付与するように張り出して保持される。さらに、支持部分１４０はプラットフォーム２３の外部すなわち居住空間の外部に展開されるので、支持部分は、プラットフォーム２３で利用可能なスペースを最大化することができ、支持システム１０に設置される付属品にできるだけ多くの空間を許容する。
【００３４】
支柱：
次に、図５、図６と図１１を参照すると、支持システム１０の中央支柱２００が示されている。支持システム１０の剛性を保証するために、支柱２００は、好適には研磨したステンレス鋼から製造される。この例では、支柱２００は中空円筒形であり、その直径は約５センチメートル（２インチ）である。支柱２００の壁２０２の厚みは、約２．４ミリメートル（３／３２インチ）である。ところで、支柱２００は、たとえばベース材料が異なる場合または使用上、異なる構成を要する場合、異なるサイズにしてもよい。
【００３５】
支柱２００の上部は、一般に、プラスチック材料またはその他からなる装飾キャップ２４０を備える。キャップ２４０は、一般に、支柱の内部に圧入され、上部がややふくらんだ形状を有する。
【００３６】
好適には、安全ピン２２０もまた支柱２００の上部でその両側に挿入され、支柱が、定着ベース１００の開口部１４２を介して摺動しないように、また、定着ベース１００の締め付け部分１４４がゆるんだときに水中に落ちないようにしている。
【００３７】
支持アーム：
次に、図７から１１を参照すると、本発明による支持システム１０の支持アーム３００が示されている。
【００３８】
本発明によれば、支持アーム３００は一般にＬ字型であり、従って、長い方の部分３１０と、短い方の部分３３０とを含み、双方が丸みを帯びたクランク３５０を介して接合されている。
【００３９】
支持アーム３００は、それぞれ、長い方の部分３１０と短い方の部分３３０の自由端３１２と３３２に、支柱２００への連結用の開口部３１４および３３４とを含む。これらの開口部３１４、３３４は適切な寸法を有しており、高さまたは回転がいかなるものであっても所望の位置に支持アーム３００を固定可能にする締め付け用の横ねじ３２０、３４０を受容するように構成された、スリット３１６、３３６と、開口部３１８、３３８とを備えている。開口部３１８と３３８は、好適には、ねじ３２０，３４０がそれらの挿入時に支持アーム３００の側面からはみ出ないように皿穴を開けられている。
【００４０】
図７から分かるように、支持アーム３００の長い方の部分３１０は、その中央部分に、長手方向の開口部３２５を含む。この長手方向の開口部３２５は、支持プレート４００（図１４参照）を固定するかまたは１つの付属品を直接固定する役割を果たすボルトを挿入可能にする。開口部３２５は、固定ボルト間の距離を様々な距離にすることができるように、および／または支持アーム３００の全長で考えられる複数の場所に付属品を設置できるように、一般には十分に長い。
【００４１】
次に、図７、８、８Ａを参照すると、支持アーム３００は、その短い方の部分３３０に、開口部３３４とクランク３５０との間に配置されるショルダ３６０を有する。支持アーム３００が設置される方向によって、ショルダ３６０は、支持アーム３００の長い方の部分３１０を、一般には支柱２００に固定されている短い方の部分３３０に対して、下降させるかまたは上昇させる。この構成により、２個の支持アーム３００の一方を逆にして、支柱２００のレベルで互いに上下に設置することにより、同一面に配置された長手方向開口部３２５を有するアーム３００が突出するようにし、それによって、一段と広幅のテーブル板または機械的な支持体を固定可能にして、いっそう大型容積の付属品を設置するようにされている（図８Ａ参照）。
【００４２】
支持アーム３００は、このアームをゆるめたときに、中央支柱２００を中心として完全に３６０°回転することができ、また、支柱２００に沿って容易に高さ調節可能であるので、ユーザの必要に合わせて最適に付属品を配置することができる。
【００４３】
支持アーム３００は、好適には、アルミニウムまたは他の同等材料で製造される。好適には、支持アーム３００は、仕上げのためにウレタン触媒を主成分とする化合物で塗装される。
【００４４】
図１１は、定着ベース１００と、支柱２００と、２個の支持アーム３００（一方はプラットフォーム２３の後縁に平行で他方はプラットフォーム２３の後部に対して垂直）とを含むアセンブリを示しており、全体が、「スポーツヨット」タイプのレジャー船舶２０の後部プラットフォーム２３に設置されている。
【００４５】
バーベキューセットの設置例：
図１２、図１２Ａは、バーベキューセット４１０の代表的な取り付け例を示す。バーベキューセットは、長手方向の開口部３２５によりバーベキューセット４１０と支持アーム３００とに固定された回転部品４１２に設置されている。回転部品４１２は、レバー４１４を備えた留めねじによって所定の位置にブロックすることができる。かくして、支柱２００における支持アーム３００の可動性と、バーベキューセット４１０の回転可能性とにより、ユーザは、バーベキューセットを意のままに配向できる。図１２Ａは、支持アーム３００とバーベキューセット４１０の下面図であり、レバー４１４を有する留めねじを詳しく示している。
【００４６】
潜水ボンベの設置例：
図１３は、潜水酸素ボンベ４２０の設置例を示している。こうした設置には２個の支持アーム３００が必要であり、一方は、定着ベース１００にできるだけ近い下部に設置され、他方は上部に設置される。潜水酸素ボンベ４２０は、このために設けられた受け部４２２、４２４に設置される。受け部４２２、４２４は、異なる２つの形をしている。下の受け部４２４はボンベ４２０のアームを挿入可能にする円筒形で、上の受け部４２２は、一般にはバルブとマノメータとを備えたボンベ４２０の上部の挿入を可能にする鐘形である。下の受け部４２４は、下部アームの上部で保持される支持アーム３００に長手方向開口部３２５を介してボルトで固定される。上の受け部４２２は、上部アームの下部の下で、支持アーム３００の長手方向開口部３２５を介してボルトにより固定される。ボンベ４２０は、上部支持アーム３００を持ち上げることによって、それらの個々の下の受け部４２４に設置され、また、ボンベ４２０を挟むように上の受け部４２２を備えた上部支持アーム３００を下げることによって、所定の位置に保持される。
【００４７】
携帯用発電機の設置例：
図１４は、携帯用発電機４３０の設置例を示している。発電機４３０は、好適には肉厚なアクリルまたはアルミニウムからなる支持プレート４００に保持されて固定される。プレート４００は、発電機４３０の振動防止クッションを持つ脚等の定着ポイントに固定されて、あるいは、使用モデルによっては発電機の構造そのものに直接固定される。プレート４００は、好適には定着ベース１００の最も近くに配置される支持アーム３００にボルト締めされる。使用される発電機４００の寸法と重量によっては、図８Ａに示したように並列に配置される２個の支持アーム３００を用いてもよい。この場合、プレート４００の寸法のために、プレートは、２個の支持アーム３００から張り出して設置されることになる。これらの２個の支持アーム３００もまた、理想的には定着ベース１００のできるだけ近くに設置しなければならない。
【００４８】
携帯用冷蔵庫の設置例：
図１５は、アイスボックスまたはミニバータイプの携帯用冷蔵庫４４０の設置例を示している。こうした設置では、発電機４３０と同様に、冷蔵庫４４０は、好適には肉厚なアクリルまたはアルミニウム製の支持プレート４００に設置されて固定される。プレート４００は、冷蔵庫４４０の脚等の定着ポイントに固定されるか、または使用モデルによっては構造そのものに直接固定される。冷蔵庫４４０の寸法と重量によっては、プレート４００は、１つまたは複数の支持アーム３００にボルト締め可能であり（図８Ａ参照）、１つまたは複数の支持アームは、定着ベース１００のできるだけ近くに配置される。
【００４９】
保護柵の設置例：
図１６と図１６Ａは、保護柵４５０の設置を示している。このシステムは、２個の定着ベース１００と、２個の支柱２００と、４個の支持アーム３００と、保護柵の固定付属品の設置とを要する。
【００５０】
定着ベース１００は、好適には、船舶２０のプラットフォーム２３の端部に設置しなければならない。この設置では、支柱２００の各々が、一方は支柱２００の下部で他方は上部の同じ方向に設置された２個の支持アーム３００を支持する。支持アーム３００は、２個のバー４５４により相互接続される２個の短い支柱４５２からなるフレームによって互いに結合される。好適にはナイロン製の側面の固定ネット４５６は、支持アーム３００の各対の間に設置され、マジックテープ（Ｖｅｌｃｒｏ：登録商標）からなる紐を用いて支持アームの間に固定される。バー４５４の間に設置され、マジックテープタイプ（Ｖｅｌｃｒｏ：登録商標）のベルトで固定される固定ネット４５６についても同様である。
【００５１】
補助テーブルと容器ホルダの設置例：
図１７、図１７Ａ、１７Ｂは、補助テーブル４６０と容器ホルダ４６２の設置を示している。ここでは、バーベキューセット４１０または他の付属品から独立した付属品か、あるいは補完的な付属品が問題となる。
【００５２】
テーブル板４６０は、好適には、ユーザの必要に応じて折り畳みできるように花びら形である。テーブル板は、その最も狭い部分で、一般には支持アーム３００の上で中央支柱２００に直接設置可能なナイロン製の摩擦リングを備えた開口部を有する。テーブル板４６０は、また、支持アーム３００の端部に設置されるアダプタ４６１を備えることができる。アダプタ４６１は、下のテーブル板４６０を支持する縁を有する。その後、アダプタ４６１は、支持アーム３００の開口部３１４にほぼ挿入され、支持アーム３００の締め付けねじ３２０により所定の位置に固定される。その場合、別のテーブル板４６０は、アダプタ４６１の上部に取り付け可能である。これにより、テーブル板４６０が回転自在にされる。
【００５３】
凹部４６３を備えた別のテーブル板４６２は、コップ、ボトル、または小瓶タイプの容器を挿入することができる。
【００５４】
設置は融通が利くので、ユーザの必要性に応じて複数の組み合わせを考えることができる。
【００５５】
自転車ホルダの設置例：
図１８、１８Ａ、１８Ｂは、付属品としての自転車ホルダ４７０を有する支持システム１０の設置を示している。
【００５６】
支柱２００の上部に固定される支持アーム３００は、自転車４７１を受容する役割をする取付台４７２の受け部の役割をする。取付台４７２は、支持アーム３００の長手方向開口部３２５を介してボルトを用いて固定される。好適には、損傷を回避するために、自転車４７１のフレームを受容する役割を果たす取付台４７２の中空部にゴム引き材料を貼り付ける。取付台４７２の中空部に自転車４７１を設置したら、同様に内部にゴム引きしたフランジ４７４を自転車４７１のフレームの上部に設置する。フランジ４７４を２個のねじ切りつまみ４７５により締め付け固定することにより、自転車４７１のフレームを挟んで所定の位置に保持する。
【００５７】
支柱２００を中心として支持アーム３００が回転できるので、プラットフォーム２３の居住空間から自転車４７１を解放することができる。
【００５８】
収納トランクの設置例：
図１９、図１９Ａは、ガラスファイバー製の収納トランク４８０の設置を示している。
この設置は、一般に、２個の定着ベース１００と、２個の支柱２００と、２個の支持アーム３００とを含んでいる。支持アーム３００は、支柱２００の下部で定着ベース１００のできるだけ近くに設置しなければならない。なぜなら、トランク４８０の負荷が大きければ大きいほど、トランクを定着ベース１００の近くに設置して、てこの作用を低減しなければならないからである。トランク４８０は、このトランク４８０に組み込まれた補強プレートと、トランクの底とを通るボルトを用いて、支持アーム３００の長手方向開口部３２５に固定される。居住空間の外部に支持アーム３００が展開されるので、トランク４８０は、プラットフォーム２３の後部に突出し、そのために通路とプラットフォームの居住スペースとが解放される。
【００５９】
非常用船外機の設置例：
【００６０】
多数のレジャー船舶は、しばしば、「オンボード」タイプの単一モータを備えている。故障が生じると、ヨット遊びをする人々は、これに自分で対処するか、あるいは沿岸警備員もしくは救助員を呼んで救援を頼み、漂流しないようにしなければならない。本発明による支持システム１０は、小型の船外機４９０を使用することができる。この設置の場合、支持アーム３００を定着ベース１００の近くに設置しなければならず、また、モータボートで使用されるのと同じタイプのロシア産ベニヤ板のボード４９２が、支持アーム３００の上部に設置され、支持アーム３００の長手方向開口部３２５を通るボルトにより支持アームに固定される。ボード４９２は、船外機４９０の支持部の役割を果たし、船外機は、モータボードと同様に装備されるクランプによって固定される。
【００６１】
一つまたは複数の好適な実施形態を用いて本発明を説明したが、この発明は、多数の他の形態で使用、利用、および／または具体化可能であると理解されたい。従って、下記の請求項は、従来技術により決められた制限範囲を越えて、これらの様々な形態を含むものとして解釈すべきである。
【図１】
2010522313.tif 000003
【図２】
2010522313.tif 000004
【図３】
2010522313.tif 000005
【図４】
2010522313.tif 000006
【図５】
2010522313.tif 000007
【図６】
2010522313.tif 000008
【図７】
2010522313.tif 000009
【図８】
2010522313.tif 000010
【図８Ａ】
2010522313.tif 000011
【図９】
2010522313.tif 000012
【図１０】
2010522313.tif 000013
【図１１】
2010522313.tif 000014
【図１２】
2010522313.tif 000015
【図１２Ａ】
2010522313.tif 000016
【図１３】
2010522313.tif 000017
【図１４】
2010522313.tif 000018
【図１５】
2010522313.tif 000019
【図１６】
2010522313.tif 000020
【図１６Ａ】
2010522313.tif 000021
【図１７】
2010522313.tif 000022
【図１７Ａ】
2010522313.tif 000023
【図１７Ｂ】
2010522313.tif 000024
【図１８】
2010522313.tif 000025
【図１８Ａ】
2010522313.tif 000026
【図１８Ｂ】
2010522313.tif 000027
【図１９】
2010522313.tif 000028
【図１９Ａ】
2010522313.tif 000029
【図２０】
2010522313.tif 000030
【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
ａ．表面に固定可能であって、第１の開口部と第１の固定手段とを含むベースと、
ｂ．前記第１の開口部に挿入可能な支柱と、
ｃ．第１の部分および第２の部分を含む支持アームと、
を含み、前記第１および第２の部分がクランクにより接続され、前記支持アームが、第２の開口部と、前記第１の部分の端部に配置される第２の固定手段とを含み、前記第２の開口部が前記支柱を受容可能である、支持システム。
【請求項２】
前記支持アームがＬ字型である、請求項１に記載の支持システム。
【請求項３】
前記支持アームの前記第１の部分が、前記Ｌ字型の短い方の部分に対応し、前記支持アームの前記第２の部分が、前記Ｌ字型の長い方の部分に対応する、請求項２に記載の支持システム。
【請求項４】
前記支持アームの前記第１の部分が、前記第２の部分よりも短い、請求項１に記載の支持システム。
【請求項５】
前記支持アームの前記第２の部分が、固定要素を受容するように構成された少なくとも１つの第３の開口部を含む、請求項１に記載の支持システム。
【請求項６】
前記第３の開口部が、細長い開口部である、請求項５に記載の支持システム。
【請求項７】
前記第１の開口部と前記第１の固定手段とが、第１の締め付けリングを画定するように構成されている、請求項１に記載の支持システム。
【請求項８】
前記第２の開口部と前記第２の固定手段とが、第２の締め付けリングを画定するように構成されている、請求項１に記載の支持システム。
【請求項９】
前記支持アームが、第３の開口部と、前記第２の部分の端部に配置される第３の固定手段とを含み、前記第３の開口部が前記支柱を受容可能である、請求項１に記載の支持システム。
【請求項１０】
前記第３の開口部と前記第３の固定手段とが、第３の締め付けリングを画定するように構成されている、請求項９に記載の支持システム。
【請求項１１】
前記支持アームは、前記第２の開口部と前記第３の開口部とが２つの平行な異なる面に配置されるようにするショルダを含んでいる、請求項９に記載の支持システム。
【請求項１２】
前記平行な異なる面の距離が前記アームの厚みの半分にほぼ等しい、請求項１１に記載の支持システム。
【請求項１３】
前記ショルダが、前記第２の開口部と前記クランクとの間に配置される、請求項１１に記載の支持システム。
【請求項１４】
前記第１の開口部と、前記第２の開口部とがほぼ円形である、請求項１に記載の支持システム。
【請求項１５】
前記第３の開口部がほぼ円形である、請求項９に記載の支持システム。
【請求項１６】
前記支柱がほぼ円筒形である、請求項１４又は１５に記載の支持システム。
【請求項１７】
前記ベース、前記支柱および前記支持アームが本質的に耐食性材料から形成されている、請求項１に記載の支持システム。
【請求項１８】
前記システムが複数の支持アームを含んでいる、請求項１から１７のいずれか一項に記載の支持システム。
【請求項１９】
前記ベースが、前記表面に固定可能な取り付け部分と、前記支柱を受容可能な前記第1の開口部を備えた支持部分とを含んでおり、前記ベースの前記支持部分が、前記表面の外部に展開されるように構成されている、請求項１から１８のいずれか一項に記載の支持システム。
【国際調査報告】
2010522313.tif 000031
2010522313.tif 000032
2010522313.tif 000033
2010522313.tif 000034